【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
タッチ面へのタッチを検知するタッチ検知手段と、
前記タッチ面への押圧を検知する押圧検知手段と、
前記タッチ検知手段によりタッチが検知されたまま第１の方向へタッチ位置が移動したことに応じて、特定の設定項目の設定値を所定の方向へ変更し、第２の方向へタッチ位置が移動したことに応じて前記特定の設定項目の設定値を前記所定の方向と異なる他の方向へ変更し、
前記第１の方向へタッチ位置が移動したことによって前記特定の設定項目の設定値を変更した後に前記タッチによる押圧を検知したことに応じて、前記特定の設定項目の設定値を前記所定の方向へ更に変更するように制御する制御手段と
を有することを特徴とする電子機器。
【請求項２】
前記制御手段は、前記第２の方向へタッチ位置が移動したことによって前記特定の設定項目の設定値を前記他の方向に変更した後に前記タッチによる押圧を検知したことに応じて、前記特定の設定項目の設定値を前記他の方向へ更に変更するように制御することを特徴とする請求項１に記載の電子機器。
【請求項３】
前記所定の方向は設定値を増加する方向であり、前記他の方向は設定値を減少する方向であることを特徴とする請求項１または２に記載の電子機器。
【請求項４】
タッチが検知されたままのタッチ位置が前記第１の方向へ移動したか前記第２の方向へ移動したかを示す情報を記憶する記憶手段を更に有し、
前記制御手段は、タッチが検知されたままタッチ位置が移動した後に前記タッチによる押圧を検知したことに応じて、前記特定の設定項目の設定値を前記情報に基づく方向へ更に変更するように制御することを特徴とする請求項２に記載の電子機器。
【請求項５】
前記制御手段は、前記第１の方向へタッチ位置が移動したことによって前記特定の設定項目の設定値を変更した後に、前記タッチが離されることなく前記タッチが所定時間において継続するとキーリピート状態となり、前記タッチが継続している期間に前記所定時間よりも短い第１の周期で周期的に前記特定の設定項目の設定値を前記第１の方向に第１の量ずつ更に変更するように制御することを特徴とする請求項１乃至４のいずれか１項に記載の電子機器。
【請求項６】
前記制御手段は、前記タッチ検知手段によりタッチが検知されたまま第１の方向へタッチ位置が所定距離以上移動したことに応じて、前記所定距離を超えた分の移動距離にかかわらず、特定の設定項目の設定値を所定の方向へ第１の量変更するように制御することを特徴とする請求項５に記載の電子機器。
【請求項７】
前記制御手段は、前記第１の方向へタッチ位置が移動したことによって前記特定の設定項目の設定値を変更した後に、前記タッチの継続時間が前記所定時間未満であっても前記タッチによる押圧を検知したことに応じてキーリピート状態となり、タッチが継続している期間に所定の周期で周期的に前記特定の設定項目の設定値を前記第１の方向に前記第１の量ずつ更に変更するように制御することを特徴とする請求項５に記載の電子機器。
【請求項８】
前記所定の周期は前記第１の周期と同じであることを特徴とする請求項７に記載の電子機器。
【請求項９】
前記所定の周期は前記第１の周期よりも短いことを特徴とする請求項７に記載の電子機器。
【請求項１０】
前記制御手段は、前記第１の方向へタッチ位置が移動したことによって前記特定の設定項目の設定値を変更した後に、タッチが離されることなく前記タッチによる押圧を検知するたびに、前記特定の設定項目の設定値を前記所定の方向へ特定量ずつ更に変更するように制御することを特徴とする請求項１乃至９のいずれか１項に記載の電子機器。
【請求項１１】
前記制御手段は、前記タッチ検知手段によりタッチが検知された後にタッチ位置が移動することなく前記タッチによる押圧を検知したことに応じて、前記特定の設定項目の設定値を予め定められた値に変更するように制御することを特徴とする請求項１乃至１０のいずれか１項に記載の電子機器。
【請求項１２】
前記制御手段は、前記タッチ検知手段によりタッチが検知された後にタッチ位置が移動することなく前記タッチによる押圧を検知したことに応じて、前記特定の設定項目の設定値の変更とは異なる機能を実行するように制御することを特徴とする請求項１乃至１０のいずれか１項に記載の電子機器。
【請求項１３】
前記特定の設定項目の設定値の変更とは異なる機能は、設定値を変更する設定項目を前記特定の設定項目から他の設定項目に変更する機能であることを特徴とする請求項１２に記載の電子機器。
【請求項１４】
前記制御手段は、前記第１の方向へタッチ位置が移動したことによって前記特定の設定項目の設定値を前記所定の方向に変更する場合は、前記特定の設定項目の設定値を前記所定の方向に第１の量変更し、前記第１の方向へタッチ位置が移動したことによって前記特定の設定項目の設定値を変更した後に前記タッチによる押圧を検知したことに応じて、前記特定の設定項目の設定値を前記所定の方向へ更に変更する場合には、前記特定の設定項目の設定値を前記所定の方向に第１の量よりも多い第２の量変更することを特徴とする請求項１乃至７のいずれか１項に記載の電子機器。
【請求項１５】
前記第１の方向へタッチ位置が移動したことによって前記特定の設定項目の設定値を変更した後に前記タッチによる押圧を検知したことに応じて、前記特定の設定項目の設定値を前記所定の方向へ更に変更する場合には、前記特定の設定項目の設定値を変更前の設定値よりも前記所定の方向にある区切りの位置の設定値に変更するように制御することを特徴とする請求項１乃至７のいずれか１項に記載の電子機器。
【請求項１６】
前記制御手段は、前記タッチ検知手段によりタッチが検知されたまま第３の方向へタッチ位置が移動したことに応じて、前記特定の設定項目とは異なる第２の設定項目の設定値を所定の方向へ変更し、第４の方向へタッチ位置が移動したことに応じて前記第２の設定項目の設定値を前記所定の方向と異なる他の方向へ変更し、
前記第３の方向へタッチ位置が移動したことによって前記第２の設定項目の設定値を変更した後に前記タッチによる押圧を検知したことに応じて、前記第２の設定項目の設定値を前記所定の方向へ更に変更するように制御することを特徴とする請求項１乃至１５のいずれか１項に記載の電子機器。
【請求項１７】
前記第１の方向と前記第２の方向は第１の軸上の互いに逆の方向であり、前記第３の方向と前記第４の方向は、前記第１の軸と異なる第２の軸上の互いに逆の方向であることを特徴とする請求項１６に記載の電子機器。
【請求項１８】
物体の接近を検知する接近検知手段を更に有し、
前記制御手段は、前記接近検知手段により接近を検知した状態で前記制御を行い、前記接近検知手段により接近を検知していない場合には、前記タッチ検知手段で検知したタッチの位置に基づいて前記特定の設定項目の設定値を設定し、前記タッチ検知手段によりタッチが検知されたまま第１の方向へタッチ位置が移動したことを検知しても前記特定の設定項目の設定値は変更しないことを特徴とする請求項１乃至１７のいずれか１項に記載の電子機器。
【請求項１９】
タッチ面へのタッチを検知するタッチ検知ステップと、
前記タッチ面への押圧を検知する押圧検知ステップと、
前記タッチ検知ステップによりタッチが検知されたまま第１の方向へタッチ位置が移動したことに応じて、特定の設定項目の設定値を所定の方向へ変更し、第２の方向へタッチ位置が移動したことに応じて前記特定の設定項目の設定値を前記所定の方向と異なる他の方向へ変更し、
前記第１の方向へタッチ位置が移動したことによって前記特定の設定項目の設定値を変更した後に前記タッチによる押圧を検知したことに応じて、前記特定の設定項目の設定値を前記所定の方向へ更に変更するように制御する制御ステップと
を有することを特徴とする電子機器の制御方法。
【請求項２０】
コンピュータを、請求項１乃至１８のいずれか１項に記載の電子機器の各手段として機能させるためのプログラム。
【請求項２１】
コンピュータを、請求項１乃至１８のいずれか１項に記載の電子機器の各手段として機能させるためのプログラムを記憶したコンピュータが読み取り可能な記憶媒体。